(57)【要約】      （修正有）【課題】構造強度を向上させる多螺旋鉄筋の二層梁構造を提供する。【解決手段】上面及び梁の延伸方向からなる下層梁２００と、下層梁２００内に部分的に埋設されると共に梁の延伸方向に沿い延伸されて、上面外に突出され且つ複数の間隙で構成される主鉄筋組３００、及び上面上に設置されると共に梁の延伸方向に沿い延伸され、且つそれの各輪は主鉄筋組３００の間隙にそれぞれ進入させる上層螺旋鉄筋４００を備える。【選択図】図１Ａ
0003175782.tif 000002
【実用新案登録請求の範囲】
【請求項１】
多螺旋鉄筋の二層梁構造であって、
上面及び梁の延伸方向からなる下層梁と、
前記下層梁内に部分的に埋設されると共に沿前記梁の延伸方向に沿い延伸されて前記上面外に突出され、且つ複数の間隙で構成される主鉄筋組と、
前記上面上に設置されると共に前記梁の延伸方向に沿い延伸され、且つそれの各輪は前記主鉄筋組のそれら前記間隙にそれぞれ進入させる上層螺旋鉄筋を備えることを特徴とする多螺旋鉄筋の二層梁構造。
【請求項２】
前記上層螺旋鉄筋に対応させ且つ前記下層梁内に全て埋設されると共に前記梁の延伸方向に沿い延伸されて、それの各輪は前記主鉄筋組のそれら前記間隙にそれぞれ進入させる下層螺旋鉄筋を更に備えることを特徴とする、請求項に記載の多螺旋鉄筋の二層梁構造。
【請求項３】
上層副螺旋鉄筋と下層副螺旋鉄筋を更に備え、前記梁の延伸方向に沿い延伸され且つ前記下層副螺旋鉄筋の各輪は前記上層螺旋鉄筋と下層螺旋鉄筋の間隙にそれぞれ進入させることを特徴とする、請求項に記載の多螺旋鉄筋の二層梁構造。
【考案の詳細な説明】
【技術分野】
【０００１】
本考案は、多螺旋鉄筋の二層梁構造に関する。
【背景技術】
【０００２】
建築物の高層化と室内空間の利用需要の増加に従い、建築物の安全性への配慮が必要となっている。鉄筋コンクリートの耐震性もまた重要である。従来の二層梁の構造により施工を行う場合、上層鉄筋が湾曲し主鉄筋下方の空間に引っかかるため、上層鉄筋の湾曲部内に主鉄筋を挿入出来ない。言い換えれば、主鉄筋は上層鉄筋が湾曲し引っかかる為、集中して設置させるか、或いは一時的に鉄筋を設置させる方式で上層鉄筋湾曲部内に貫設させる。
【考案の概要】
【考案が解決しようとする課題】
【０００３】
しかしながら、上述の構造を採用し設置させると二層梁自体の構造強度を低下させる。このほか、従来の二層梁構造は施工時に他にも問題を発生させ、例えば上層鉄筋湾曲部の角度が不十分、或いは上層鉄筋湾曲部と一時的な鉄筋との結合不良等の状況が発生し、強度の不足を招いた。
【０００４】
本考案は、このような従来の問題に鑑みてなされたものである。上記課題解決のため、本考案は、構造強度を向上させる多螺旋鉄筋の二層梁構造を提供することを主目的とする。
【課題を解決するための手段】
【０００５】
上述した課題を解決し、目的を達成するために、本考案に係る多螺旋鉄筋の二層梁構造は、
上面及び梁の延伸方向からなる下層梁と、
前記下層梁内に部分的に埋設されると共に沿前記梁の延伸方向に沿い延伸されて前記上面外に突出され、且つ複数の間隙で構成される主鉄筋組と、
前記上面上に設置されると共に前記梁の延伸方向に沿い延伸され、且つそれの各輪は前記主鉄筋組のそれら前記間隙にそれぞれ進入させる上層螺旋鉄筋を備えることを特徴とする。
【考案の効果】
【０００６】
本考案によれば、構造強度の向上が得られる。
【図面の簡単な説明】
【０００７】
【図１Ａ】本考案に係る多螺旋鉄筋の二層梁構造の実施形態での断面図である。
【図１Ｂ】本考案に係る多螺旋鉄筋の二層梁構造の実施形態での傾斜図である。
【図２】多螺旋鉄筋の二層梁構造が下層螺旋鉄筋を有する実施形態での断面図である。
【図３】多螺旋鉄筋の二層梁構造が第一主鉄筋組及び第二主鉄筋組を有する実施形態での断面図である。
【図４】主鉄筋組が複数の湾曲部である実施形態での断面図である。
【考案を実施するための形態】
【０００８】
以下、本考案の実施形態を図面に基づいて説明する。なお、本考案は、以下に説明する実施形態に限定されるものではない。
【０００９】
まず、本考案の多螺旋鉄筋の二層梁構造の第１実施形態について説明する。
（第１実施形態）
本考案の第１実施形態の構成を図１から図４に示す。本考案の実施形態に係る多螺旋鉄筋の二層梁構造は図１Ａによると、多螺旋鉄筋の二層梁構造100は下層梁200と、主鉄筋組300及び上層螺旋鉄筋400を備える。図１Ｂによれば、下層梁200は上面202と梁の延伸方向204とを有する。主鉄筋組300は下層梁200内に部分的に埋設され、主鉄筋組300は梁の延伸方向204に沿い延伸されると共に上面202外に突出され、且つ複数の間隙302を有する。図１Ｂによれば、主鉄筋組300は螺旋鉄筋であり、矩形断面を有し、また上面202から突出される一辺と上面202とは高度差hを有する。このほか、上面202上の両側には(図１Ａの破線の枠)梁の延伸方向204に沿い延伸される上層螺旋鉄筋400を各々設置させ、上層螺旋鉄筋400の各輪は主鉄筋組300の間隙302にそれぞれ進入させる。上層螺旋鉄筋400の間には梁の延伸方向204に沿い延伸される上層副螺旋鉄筋401を有し、上層副螺旋鉄筋401の各輪は両側の上層螺旋鉄筋400の間隙にそれぞれ進入させる。上層螺旋鉄筋400と上層副螺旋鉄筋401は複数の主鉄筋600をそれぞれ貫設させる。本実施形態では、まず主鉄筋組300を下層梁200にプレキャストし、上層螺旋鉄筋400と上層副螺旋鉄筋401とを主鉄筋600と共に下層梁200上方に位置させ、その後グラウチングを施す。これにより多螺旋鉄筋の二層梁構造100は、主鉄筋600を平均的に分布させて構造全体の強度を向上させるほか、高度差h及び上層副螺旋鉄筋401と主鉄筋組300との間の交差深度も必要に応じ調整可能となる。
【００１０】
図２によると、多螺旋鉄筋の二層梁構造100は下層梁200、主鉄筋組300、上層螺旋鉄筋400及び下層螺旋鉄筋500を備える。下層梁200は上面202を有し、ここでは図１Ｂには梁の延伸方向204と主鉄筋組300の間隙302を示す。主鉄筋組300は下層梁200内に部分的に埋設され、主鉄筋組300は梁の延伸方向204に沿い延伸されて上面202外に突出され、且つ複数の間隙302を有する。図２によれば、主鉄筋組300は螺旋鉄筋であり、円形の断面を有し、また上面202に突出する一辺と上面202とは高度差hを有する。このほか、上面202上の両側には梁の延伸方向204に沿い延伸される上層螺旋鉄筋400を各々設置させ、上層螺旋鉄筋400の各輪は主鉄筋組300の間隙302にそれぞれ進入される。同様に、下層螺旋鉄筋500は下層梁200中に全て埋設され、両側には下層螺旋鉄筋500を各々設置させ、上層螺旋鉄筋400に平行になり、且つ下層螺旋鉄筋500の各輪は主鉄筋組300の間隙302にそれぞれ進入させる。上層螺旋鉄筋400の間と下層螺旋鉄筋500の間には上層副螺旋鉄筋401及び下層副螺旋鉄筋501を各々を有し、上層副螺旋鉄筋401の各輪は両側の上層螺旋鉄筋401の間隙にそれぞれ進入させ、また下層副螺旋鉄筋501の各輪は両側の下層螺旋鉄筋500の間隙にそれぞれ進入させる。複数の主鉄筋600は上層螺旋鉄筋400、上層副螺旋鉄筋401、下層螺旋鉄筋500及び下層副螺旋鉄筋501に貫設される。本実施形態では、主鉄筋組300、下層螺旋鉄筋500及び下層副螺旋鉄筋501はまず下層梁200中にプレキャストされ、上層螺旋鉄筋400及び上層副螺旋鉄筋401を主鉄筋600と共に下層梁200上方に位置させ、その後グラウチングを施す。これにより多螺旋鉄筋の二層梁構造100は、主鉄筋600を平均的に分布させ構造全体の強度を向上させるほか、高度差h及び上層副螺旋鉄筋401と主鉄筋組300との間の交差深度或いは下層副螺旋鉄筋501と主鉄筋組300との間の交差深度も必要に応じ調整可能となる。
【００１１】
図３によると、多螺旋鉄筋の二層梁構造100は下層梁200、主鉄筋組300、上層螺旋鉄筋400及び下層螺旋鉄筋500を主にを備える。下層梁200は上面202を有し、ここでは図１Ｂには梁の延伸方向204と主鉄筋組300との間隙302を示す。主鉄筋組300は第一主鉄筋組310と第二主鉄筋組320を備え、両者は共に下層梁200内に部分的に埋設され、且つ部分的に折り重ねられる。即ち、第一主鉄筋組310と第二主鉄筋組320の軸心は上面202の上下両側に位置され、両者の軸心の連接線は上面202に垂直になる。このほか、主鉄筋組300は螺旋鉄筋であり、円形断面を有するため、第一主鉄筋組310と第二主鉄筋組320も複数の間隙302を有する。図３によれば、第一主鉄筋組310の上面202に突出する一辺と上面202とは高度差h1を有し、第二主鉄筋組320の上面202に突出する一辺と上面202とは高度差h2を有する。高度差h1と上層螺旋鉄筋400の上端の高さは同じであり、高度差h1と高度差h2は下層梁200の比例により更に調整される。このほか、上面202上の両側には上層螺旋鉄筋400を各々設置させ、且つ上層螺旋鉄筋400の各輪は第一主鉄筋組310の間隙302にそれぞれ進入させる。同様に、下層螺旋鉄筋500は下層梁200中に全て埋設され、両側には下層螺旋鉄筋500を各々設置させ、上層螺旋鉄筋400に平行にさせ且つ下層螺旋鉄筋500の各輪は第二主鉄筋組320の間隙302にそれぞれ進入させる。複数の主鉄筋600は上層螺旋鉄筋400、下層螺旋鉄筋500、第一主鉄筋組310及び第二主鉄筋組320に貫設される。
【００１２】
図４によると、多螺旋鉄筋の二層梁構造100は下層梁200、主鉄筋組300、上層螺旋鉄筋400及び下層螺旋鉄筋500を備える。下層梁200は上面202を有し、ここでは図１Ｂには梁の延伸方向204及び主鉄筋組300の間隙302を示す。本実施形態では、主鉄筋組300は複数の湾曲部であり、下層梁200の両側に部分的に埋設され、湾曲部の間隙302には前述の実施形態のと同じ大きさのものを採用する(図１Ｂに図示する)。対になる湾曲部は接合部331及び湾曲部332を有し、接合部331は上面202に垂直になると共に上面202とは高度差hを有し、湾曲部332は前記下層梁200内に位置される。本実施形態では、高度差hと上層螺旋鉄筋400の上端とは高さが同じであり、他の実施形態では、高度差hは下層梁200の比例により調整できる。このほか、上面202上の両側には梁の延伸方向204に沿い延伸される上層螺旋鉄筋400を各々設置させ、また上層螺旋鉄筋400の各輪は主鉄筋組300の間隙302にそれぞれ進入させる。同様に、下層螺旋鉄筋500は下層梁200中に全て埋設され、両側には下層螺旋鉄筋500を各々設置させ、上層螺旋鉄筋400に平行になり且つ下層螺旋鉄筋500の各輪は主鉄筋組300の間隙302にそれぞれ進入させる。上層螺旋鉄筋400の間と下層螺旋鉄筋500の間には上層副螺旋鉄筋401及び下層副螺旋鉄筋501を各々有し、上層副螺旋鉄筋401の各輪は両側の上層螺旋鉄筋401の間隙にそれぞれ進入させ、且つ下層副螺旋鉄筋501の各輪は両側の下層螺旋鉄筋500の間隙にそれぞれ進入させる。複数の主鉄筋600は上層螺旋鉄筋400、上層副螺旋鉄筋401、下層螺旋鉄筋500及び下層副螺旋鉄筋501に貫設され、また接合部331は湾曲部の両側に設置されると共に湾曲部に接合される複数の軸方向鉄筋333を備え、その接合方式は溶接或いは結着等である。
【００１３】
上述の実施形態は本考案の技術思想及び特徴を説明するためのものにすぎず、当前記技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１４】
１００    多螺旋鉄筋の二層梁構造
２００    下層梁
２０２    上面
２０４    梁の延伸方向
３００    主鉄筋組
３０２    主鉄筋組の間隙
３１０    第一主鉄筋組
３２０    第二主鉄筋組
３３１    接合部
３３２    湾曲部
３３３    軸方向鉄筋
４００    上層螺旋鉄筋
４０１    上層副螺旋鉄筋
５００    下層螺旋鉄筋
５０１    下層副螺旋鉄筋
６００    主鉄筋
ｈ        高度差
ｈ１      高度差
ｈ２      高度差
【図１Ａ】
0003175782.tif 000003
【図１Ｂ】
0003175782.tif 000004
【図２】
0003175782.tif 000005
【図３】
0003175782.tif 000006
【図４】
0003175782.tif 000007
【手続補正書】
【提出日】平成24年3月22日(2012.3.22)
【手続補正１】
【補正対象書類名】実用新案登録請求の範囲
【補正対象項目名】請求項２
【補正方法】変更
【補正の内容】
【請求項２】
前記上層螺旋鉄筋に対応させ且つ前記下層梁内に全て埋設されると共に前記梁の延伸方
向に沿い延伸されて、それの各輪は前記主鉄筋組のそれら前記間隙にそれぞれ進入させる
下層螺旋鉄筋を更に備えることを特徴とする、請求項１に記載の多螺旋鉄筋の二層梁構造。
【手続補正２】
【補正対象書類名】実用新案登録請求の範囲
【補正対象項目名】請求項３
【補正方法】変更
【補正の内容】
【請求項３】
上層副螺旋鉄筋と下層副螺旋鉄筋を更に備え、前記梁の延伸方向に沿い延伸され且つ前
記下層副螺旋鉄筋の各輪は前記上層螺旋鉄筋と下層螺旋鉄筋の間隙にそれぞれ進入させる
ことを特徴とする、請求項１に記載の多螺旋鉄筋の二層梁構造。